(57)【要約】      （修正有）【課題】水をろ過する機能と移動を抑制する効果との複合を提供し、ジオグリッド体と土壌、石との間にある牽制を高め、物件を覆って強固に結合させ、施工を便利にするなど多重の実用効果に達成できる自らろ過網層を有する土工用ジオグリッドの構造を提供する。【解決手段】間隔配列の網口５Ａを全面に設置する網幹５を有し、網幹５の鈎針編みの工程において、一つ一つの網口５Ａ内に同期の鈎針編みを合せて薄いろ過可能な網膜５１が其々の網口５Ａの内周に封鎖式分布に形成し、この自ら設置されたろ過層 （即ち網膜５１）により、土壌５に含まれた水分Ｗが下へ漏れて通過する水ろ過との機能が提供でき、有効に当ジオグリッド５の排水性が向上でき、且同時に体積のより小さい上粉または石屑が下へ排出したり漏れたりすることが防止でき、それから特にろ過網または不織布の敷設を段階に分けて施工する必要がない簡便さ及びジオグリッドの作り易さ、経済的になるとの実用効果に達する。【選択図】図３Ａ
0003131527.tif 000002
【実用新案登録請求の範囲】
【請求項１】
主として鈎針編み工程の編み合わせによって手厚くて太い棒状の分布に編み、特に間隔に配列する網口が全面的に設けてある網幹を有するものであり、その特徴とは、網幹の鉤針編み工程において、一つ一つの網口内に同期の鈎針編みによる編み結びを合わせて、薄くてろ過可能な網膜を其々の網口の内周に閉鎖状分布に形成させるため、一体に編み上げたジオグリッドの構造では、其々の網膜と隣になる網幹との厚さの段差からジオグリッド体の両面部位に逐次に窪みが間隔配列に分布する立体の凹凸式網面になり、水をろ過すること及びジオグリッド体と土壌、石との互いに牽制し合う機能を高めることを特徴とする自らろ過網層を有する土工用ジオグリッドの構造。
【考案の詳細な説明】
【技術分野】
【０００１】
本考案の自らろ過網層を有する土工用ジオグリッド構造は、鈎針編み工程の編み合わせによって手厚くて太い棒状に分布する網口状の網幹に編み上げて、その鈎針編みエ程において、一つ一つの網口内に同期の鈎針編みを合せて薄くてろ過可能な網膜に編み結んで、其々の網口の内周に封鎖状分布に形成し、この一体に編んだジオグリッド体の両面部位に逐次に窪み部が間隔配列に分布することによって強化ジオグリッドに形成するものである。
【背景技術】
【０００２】
よってジオグリッドとは土工における地面、土壁或いは法面の地盤に予め敷くように利用し、下方に覆われる土壌、石などを安定に掴み止めることによって流失または土崩れなど防止するのであり、そして被覆になったり上層の土壌、石の移動を抑制したりすること並びに土層内に含まれた水分Ｗの下への漏れ、排除（図1に示したのを参考）を提供するために、既有のジオグリッド2のよりよい実施方式では、即ちジオグリッド2を施工する前に、その下方に先ずより細かい網目の不織布3（或いはろ過網）を敷いたり、或いは予め底層に既により細かい網目の不織布41（或いはろ過網）を貼り合せておいた複合式ジオグリッド4（図2示したのを参考）を利用することにより、体積がより小さい土粉や石屑などが口径のより大きい網目2A、4Aから下へ流失する欠点を克服し、従来のジオグリッド3、4にある、底層に覆われて固定させた土壌5（或いは石）が後日崩れたり落ち込んだりする欠点を改善する。
しかしながら、前記のような不織布3（或いはろ過網）とジオグリッド2との段階施工方式、或いは不織布41（或いはろ過網）をジオグリッド4に貼りあわせたり織り込んだりする複合式構造では、前者には施工コストが倍になること並びに貼りあわせた堅固さが悪いという欠点があり、後者には倍になるジオグリッドの製造コスト、水のろ過が低下になることなど欠点があり、且重厚状のジオグリッド4が施工、運搬へ不便をもたらすため、両者とも経済性への配慮や施工効率など各方面ではまだ尚理想的ではないのである。
【考案の開示】
【考案が解決しようとする課題】
【０００３】
本考案における主要目的は、一種の自らろ過網層を有する土工用ジオグリ、ソドの構造を提供することにあり、その中において、網幹の鈎針編み工程の中では一つ一つの網口内において同期の鈎針編みを合せて薄くてろ過可能な網膜を編み結んで、当ジオグリッドはその自体が下へ水をろ過する複合機能を有するようにしたため、ろ過網または不織布とジオグリッドとを敷くように段階に分けて施工する必要がなくなり、著しく施工コストが低下でき、且同期の鈎針編みとの織結び工程では造り易いこと、経済的であることなど多重効果を有するのはその特徴である。
本考案における次の目的とは、一種の自らろ過網層を有する土工用ジオグリッドの構造を提供することにあり、その中において、網幹の一つ一つの網口内に薄い網膜を編み結び、其々の網膜と隣接する網幹との厚さの段差により、ジオグリッドの両面部位に逐次に形成した窪み部が間隔配列に分布するため、ジオグリッドを著しい立体の凹凸網面に形成させるので体積がより小さい土粉または石屑が下へ漏れるのを防止し、並びにジオグリッド体と土壌、石との間にある牽制を高め、覆われた物件が側への移動を有効に防止できる安定施工との効果に達するのはその特徴である。
本考案におけるまた一つの目的とは、一種の自らろ過網層を有する土工用ジオグリッドの構造を提供することにあり、その中において、鈎針編み工程の編み合わせによって手厚くて太い棒状に分布する網ロ状の網幹に編んで、その鈎針編み工程において一つ一つの網口内に同期の鈎針編みを合せて薄いろ過可能な網膜に編み結んで、其々の網口の内周に封鎖状分布に形成し、それにより、網幹と網膜との間に皆鈎針編みで堅固に結んだジオグリッドに編むため、絶好な構造による強化効果に形成し、更に底層に覆われる土壌、石に対してより優れた移動阻止の機能に達するのはその特徴である。
【課題を解決するための手段】
【０００４】
本考案は、主として鈎針編み工程の編み合わせによって手厚くて太い棒状の分布に編み、特に間隔に配列する網口が全面的に設けてある網幹を有するものであり、その特徴とは、網幹の鉤針編み工程において、一つ一つの網口内に同期の鈎針編みによる編み結びを合わせて、薄くてろ過可能な網膜を其々の網口の内周に閉鎖状分布に形成させるため、一体に編み上げたジオグリッドの構造では、其々の網膜と隣になる網幹との厚さの段差からジオグリッド体の両面部位に逐次に窪みが間隔配列に分布する立体の凹凸式網面になり、水をろ過すること及びジオグリッド体と土壌、石との互いに牽制し合う機能を高めることを特徴とする自らろ過網層を有する土工用ジオグリッドの構造を提供する。
【考案を実施するための最良の形態】
【０００５】
次は本考案の構造における実施と使用例について図を参考しながら説明する。まず図3、図3−Aに示したように、本考案のジオグリッドの構造は主として鈎針編み工程の編み合わせによって手厚くて太い棒状に分布するようにし、且特に間隔配列の網口5Aを全面に設置する網幹5を有し、その特徴とは、網幹5の鈎針編みの工程において、一つ一つの網口5A内に同期の鈎針編みを合せて薄いろ過可能な網膜51が其々の網口5Aの内周に封鎖式分布に形成し、この自ら設置されたろ過層 （即ち網膜51）により、土壌5（或いは石）に含まれた水分Wが下へ漏れて通過する水ろ過との機能が提供でき（合せて図4を参考）、有効に当ジオグリッド5の排水性が向上でき、且同時に体積のより小さい上粉または石屑が下へ排出したり漏れたりすることが防止でき、それから特にろ過網または不織布の敷設を段階に分けて施工する必要がない簡便さ及びジオグリッドの作り易さ、経済的になるとの実用効果に達するのはその特徴である。
【０００６】
続いてまた図4に示したように、この一体に編み上げ、立体の凹凸式網面効果を有する当ジオグリッド5の構造により、其々の網膜51と隣接する網幹5との厚さの段差Hから、明らかにジオグリッド体の両面部位に逐次に窪み部5Bが間隔配列に分布し、そしてその窪み部5Bにより、不規則状になる土壌S（或いは石）の端部が窪み部5B内に嵌入したり、更に局所が網膜51に押して窪んだりすることで、そのサイドにある網幹5の強度によって止められて固定になり、有効な阻止効果を収め、ジオグリッド5と土壌5（或いは石）との間にある牽制を促進し、覆われた物件が安定に結合し、固定になるため、後日土層がしまっていなくなったり崩れたりすることが防止できるのである。
【０００７】
続いて図4、図5に示したように、当ジオグリッド5の構造では、網幹5同士で構成した網口5Aの型式、口径は、網膜51が同期に編んでいくのを影響しない前提で、違った施工条件に従って変化して設定でき （図3、図4に示した、六角形網口5A、図5に示した方形網口5AAなど）、皆水のろ過とジオグリッドと土壌5（または石）との間にある牽制を高める機能の複合が提供できる実用性に達成するのである。
【０００８】
まとめて見ると、本考案の新しい構造ではジオグリ効果並びに製造コスト低下など全面的利益が新型実用成立の要旨に合せるのである。
【図面の簡単な説明】
【０００９】
【図１】従来知られたジオグリッドにおける実施の説明図のその一である。
【図２】従来知られたジオグリッドにおける実施の説明図のその二である。
【図３】本考案の立体説明図である。
【図３Ａ】図3の平面の説明図である。
【図３Ｂ】図3の局所を拡大した説明図である。
【図４】本考案を実施する説明図である。
【図５】本考案のもう一つの実施例の平面での説明図である。
【符号の説明】
【００１０】
２    ジオグリッド
２Ａ  網目
３    不織布あるいはろ過網
４    複合式ジオグリッド
４１  不織布
４Ａ  網目
５    網幹
５Ａ  網口
５ＡＡ  網口
５Ｂ  窪み部
５１  網膜
Ｈ    厚さの段差
Ｗ    水分
Ｓ    土壌又は石
【図１】
0003131527.tif 000003
【図２】
0003131527.tif 000004
【図３】
0003131527.tif 000005
【図３Ａ】
0003131527.tif 000006
【図３Ｂ】
0003131527.tif 000007
【図４】
0003131527.tif 000008
【図５】
0003131527.tif 000009
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
主として鈎針編み工程の編み合わせによって手厚くて太い棒状の分布に編み、特に間隔に配列する網口が全面的に設けてある網幹を有するものであり、その特徴とは、網幹の鉤針編み工程において、一つ一つの網口内に同期の鈎針編みによる編み結びを合わせて、薄くてろ過可能な網膜を其々の網口の内周に閉鎖状分布に形成させるため、一体に編み上げたジオグリッドの構造では、其々の網膜と隣になる網幹との厚さの段差からジオグリッド体の両面部位に逐次に窪みが間隔配列に分布する立体の凹凸式網面になり、水をろ過すること及びジオグリッド体と土壌、石との互いに牽制し合う機能を高める構造を有することを特徴とする自らろ過網層を有する土工用ジオグリッド。
【手続補正３】
【補正対象書類名】明細書
【補正対象項目名】０００３
【補正方法】変更
【補正の内容】
【０００３】
本考案における主要目的は、一種の自らろ過網層を有する土工用ジオグリッドを提供することにあり、その中において、網幹の鈎針編み工程の中では一つ一つの網口内において同期の鈎針編みを合せて薄くてろ過可能な網膜を編み結んで、当ジオグリッドはその自体が下へ水をろ過する複合機能を有するようにしたため、ろ過網または不織布とジオグリッドとを敷くように段階に分けて施工する必要がなくなり、著しく施工コストが低下でき、且同期の鈎針編みとの織結び工程では造り易いこと、経済的であることなど多重効果を有するのはその特徴である。
本考案における次の目的とは、一種の自らろ過網層を有する土工用ジオグリッドを提供することにあり、その中において、網幹の一つ一つの網口内に薄い網膜を編み結び、其々の網膜と隣接する網幹との厚さの段差により、ジオグリッドの両面部位に逐次に形成した窪み部が間隔配列に分布するため、ジオグリッドを著しい立体の凹凸網面に形成させるので体積がより小さい土粉または石屑が下へ漏れるのを防止し、並びにジオグリッド体と土壌、石との間にある牽制を高め、覆われた物件が側への移動を有効に防止できる安定施工との効果に達するのはその特徴である。
本考案におけるまた一つの目的とは、一種の自らろ過網層を有する土工用ジオグリッドを提供することにあり、その中において、鈎針編み工程の編み合わせによって手厚くて太い棒状に分布する網ロ状の網幹に編んで、その鈎針編み工程において一つ一つの網口内に同期の鈎針編みを合せて薄いろ過可能な網膜に編み結んで、其々の網口の内周に封鎖状分布に形成し、それにより、網幹と網膜との間に皆鈎針編みで堅固に結んだジオグリッドに編むため、絶好な構造による強化効果に形成し、更に底層に覆われる土壌、石に対してより優れた移動阻止の機能に達するのはその特徴である。
【手続補正４】
【補正対象書類名】明細書
【補正対象項目名】０００４
【補正方法】変更
【補正の内容】
【０００４】
本考案は、主として鈎針編み工程の編み合わせによって手厚くて太い棒状の分布に編み、特に間隔に配列する網口が全面的に設けてある網幹を有するものであり、その特徴とは、網幹の鉤針編み工程において、一つ一つの網口内に同期の鈎針編みによる編み結びを合わせて、薄くてろ過可能な網膜を其々の網口の内周に閉鎖状分布に形成させるため、一体に編み上げたジオグリッドの構造では、其々の網膜と隣になる網幹との厚さの段差からジオグリッド体の両面部位に逐次に窪みが間隔配列に分布する立体の凹凸式網面になり、水をろ過すること及びジオグリッド体と土壌、石との互いに牽制し合う機能を高める構造を有することを特徴とする自らろ過網層を有する土工用ジオグリッドを提供する。